(57)【要約】【課題】良好な使用感が得られるとともに、優れた気密性等が得られるネイル装飾除去テープ及びそのようなネイル装飾除去テープの効率的な製造方法を提供する。【解決手段】指先のネイル上に施されたネイル装飾を除去するためのネイル装飾除去テープ等であって、アルミニウム材料から構成された基材テープと、当該基材テープの少なくとも片側に、折り曲げて使用されるフラップ部分と、ネイル装飾の除光液を吸収保持するためのパッドと、を備えており、フラップ部分に、所定の粘着剤層を介して、パッドを設けるとともに、基材テープの表面を非粘着性とする。【選択図】図１
2012070830.tif 000002
【特許請求の範囲】
【請求項１】
指先のネイル上に施されたネイル装飾を除去するためのネイル装飾除去テープであって、
アルミニウム材料から構成された基材テープと、
当該基材テープの少なくとも片側に、折り曲げて使用されるフラップ部分と、
前記ネイル装飾の除光液を吸収保持するためのパッドと、
を備えており、
前記フラップ部分に、所定の粘着剤層を介して、前記パッドを設けるとともに、
前記基材テープの表面に、非粘着性領域を設けることを特徴とするネイル装飾除去テープ。
【請求項２】
前記基材テープおよび前記フラップ部分が、アルミニウム材料から一体的に構成されていることを特徴とする請求項１に記載のネイル装飾除去テープ。
【請求項３】
前記ネイル装飾除去テープの短手方向に沿ったフラップ部分の長さを、前記基材テープの幅と同一、または前記基材テープの幅よりも長くすることを特徴とする請求項１又は２に記載のネイル装飾除去テープ。
【請求項４】
前記基材テープの厚さを１〜５０μｍの範囲内の値とし、
前記粘着剤層の厚さを５〜１５０μｍの範囲内の値とし、
かつ、
前記パッドの厚さを３０〜３，０００μｍの範囲内の値とすることを特徴とする請求項１〜３のいずれか一項に記載のネイル装飾除去テープ。
【請求項５】
前記粘着剤層に仮接着される剥離シートを備えることを特徴とする請求項１〜４のいずれか一項に記載のネイル装飾除去テープ。
【請求項６】
前記基材テープの表面に、当該基材テープを保護するための保護層を設けることを特徴とする請求項１〜５のいずれか一項に記載のネイル装飾除去テープ。
【請求項７】
指先のネイル上に施されたネイル装飾を除去するためのネイル装飾除去テープの製造方法であって、
折り曲げて使用されるフラップ部分を少なくとも片側に有し、かつ、アルミニウム材料製で、表面が非粘着性の基材テープを準備する工程と、
前記フラップ部分の表面に、粘着剤層を形成する工程と、
当該粘着剤層を介して、前記フラップ部分上に、前記ネイル装飾の除光液を吸収保持するためのパッドを設ける工程と、
前記基材テープ、粘着剤層およびパッドを含む積層体を、所定形状に切断する工程と、
を含むことを特徴とするネイル装飾除去テープの製造方法。
【請求項８】
前記基材テープを準備する工程において、表面に保護層が設けてある基材テープを準備することを特徴とする請求項７に記載のネイル装飾除去テープの製造方法。
【発明の詳細な説明】
【技術分野】
【０００１】
本発明は、ネイル装飾除去テープ及びネイル装飾除去テープの製造方法に関する。特に、被覆された指先において、良好な使用感が得られるとともに、優れた気密性等が得られるネイル装飾除去テープ及びネイル装飾除去テープの製造方法に関する。
【背景技術】
【０００２】
従来、爪に塗布するネイルマニキュアとして、溶剤型ネイルマニキュアや、光硬化性無溶剤型マニキュアが知られている。
また、近年、ネイルアートに対する人気が高まり、指爪に、例えばウレタン系樹脂と光重合性モノマーを含むジェル状の組成物を塗布した後、紫外線を照射して硬化させたジェルネイルが提案されている。かかるジェルネイルは、仕上がりがクリアである、爪との密着性が高く長持ちする、熱可塑性アクリル系樹脂ネイル塗料のような悪臭が少ない等の理由から、注目を集めている。
【０００３】
一方、このようなマニキュアやジェルネイルを除去する場合、除光液を含浸させたコットンを指先のネイル上に乗せた状態で、指先全体をアルミホイルで被覆し、所定時間放置していた。すなわち、除光液によって、架橋物であるマニキュアやジェルネイルを膨潤させた後、アルミホイルをはずして、当該マニキュア等を除去することが行われていた。
【０００４】
特に、紫外線硬化樹脂からなるジェルネイルは、比較的強固に架橋されているため、それを除去する場合、比較的長時間、例えば、１０分間程度そのまま放置していた。そして、ジェルネイルを十分に膨潤させた後、その膨潤させたジェルネイルを、スティック等により、機械的に剥がす方法が取られていた。
しかしながら、利き手でアルミホイル等を被覆処理する場合はまだしも、利き手とは逆の手で被覆処理する場合、アルミホイルを所定位置に被覆することが困難であったり、被覆したアルミホイルの隙間から除光液が漏れたりするなどの問題が見られた。
一方で、アルミホイルによる指先の気密性を高めるために、さらに大きなアルミホイルで周囲から巻いたり、粘着テープを巻きつけたりするなどの工夫もなされているが、今度は使用後に、容易に離脱することができないという問題が見られた。
【０００５】
そこで、このようなマニキュア等を効率的に除去するための各種手段が提案されている。
例えば、ジェルネイルを除去する際の使いやすさを向上させるべく、スポンジつきテープが提案されている（例えば、特許文献１参照）。
より具体的には、図１０に示すように、テープ２０１の一端に、厚さが５ｍｍ程度のスポンジ２０３と、ミシン線２０３と、が設けてあるスポンジつきテープ２００である。
【０００６】
また、ネイル剥離作業の手間と時間を省略することを目的とし、コットン付アルミホイルが提案されている（例えば、特許文献２参照）。
より具体的には、図１１に示すように、予め８ｃｍ角に裁断したアルミホイル３０１の一辺の中央部分に、リムーバーを染み込ませるためのコットン３０２が設けてあり、それらを一体化させたコットン付アルミホイル３００である。かかるコットン付アルミホイル３００は、指の外周に沿ってアルミホイルを巻き重ねた後、指先のアルミホイルを丸め込み、爪上にコットンを保持するものである。
【０００７】
さらに、ネイル装飾が施された指の爪に、除光液を含浸させたパッドをのせ、上側片及び下側片で指を挟むことにより、指のネイル装飾にパッドを押し当て、ジェルネイルを膨潤させることによって除去する除去具が提案されている（例えば、特許文献３参照）。
より具体的には、図１２に示すように、閉状態にて内部に指を入れ得る空間を形成する上側片４０１及び下側片４０２からなる本体４０３を有し、上側片４０１及び下側片４０２が、連結部４０６により指先側を支点として開閉可能に連結されたネイル除去補助具４００である。
【先行技術文献】
【特許文献】
【０００８】
【特許文献１】特開２００９−２８５４４２号公報（全文、全図）
【特許文献２】実用新案登録第３１３５８８９号公報（全文、全図）
【特許文献３】特開２００９−２７３８７３号公報（全文、全図）
【発明の概要】
【発明が解決しようとする課題】
【０００９】
しかしながら、特許文献１に記載されたスポンジつきテープは、使い勝手がいまだ不十分であって、その上、テープ素材や形状からして、被覆された指先における気密性が確保され難いという問題が見られた。
したがって、ネイル装飾除去作業に相当時間がかかるとともに、除光液を含浸させたスポンジから流出した除光液の一部が、外部に漏れやすく、その上、使用後に、スポンジつきテープを、指先から脱離することが容易でないという問題も見られた。
【００１０】
また、特許文献２（実用新案登録公報）に記載されたコットン付アルミホイルは、四角形状の単なる裁断物であって、使い勝手が悪く、その上、コットンの位置が容易にずれたり、指先のアルミホイルを丸め込む際に、コットンも一緒に丸め込んでしまったりするという問題が見られた。
したがって、ネイル装飾除去作業に手間がかかり、その上、コットンから染み出る除光液の漏れを防止しながら指先における気密性を確保することが困難であった。
【００１１】
また、特許文献３に記載されたネイル除去補助具は、コットン及びネイル除去補助具が分離独立しており、除光液を含浸させたコットンを指で直接的に取り扱わなければならず、使い勝手が悪いという問題が見られた。
さらに、かかるネイル除去補助具において、指を入れるための空間の大きさ等が予め構成されていることから、指のサイズや種類によっては、除光液を含浸させたパッドを指先のネイル装飾上に十分に押し当てることができないという問題も見られた。
その上、かかるネイル除去補助具は、その構造が複雑であって、製造に手間がかかり、経済的に不利益であるという問題も見られた。
【００１２】
そこで、本発明者らは、従来の問題を鋭意検討した結果、容易に塑性変形し、かつ、気体透過性が低いアルミニウム材料から基材テープを構成し、基材テープの少なくとも片側に、所定のフラップ部分（羽状突起物）を設けるとともに、その上に、所定の粘着剤層を介して、除光液を含浸させるためのパッドを設けることにより、上述した課題を解決できることを見出し、本発明を完成させたものである。
すなわち、本発明は、良好な使用感や気密性が得られるとともに、使用後には容易に脱離することができ、その上、安価なネイル装飾除去テープ、及びそのようなネイル装飾除去テープの効率的な製造方法を提供することを目的とする。
【課題を解決するための手段】
【００１３】
本発明によれば、指先のネイル上に施されたネイル装飾を除去するためのネイル装飾除去テープであって、アルミニウム材料から構成された基材テープと、当該基材テープの少なくとも片側に、折り曲げて使用されるフラップ部分と、を備えており、フラップ部分に、所定の粘着剤層を介して、ネイル装飾の除光液を吸収保持するためのパッドを設けるとともに、基材テープの表面に、非粘着性領域を設けることを特徴とするネイル装飾除去テープが提供され、上述した問題点を解決することができる。
【００１４】
すなわち、フラップ部分のパッド上に、指先のネイル装飾が接触するように配置するとともに、非粘着性領域を有する基材テープを折り曲げた状態で、指に巻きつけるか、あるいは、非粘着性領域を有する基材テープ上に、指先の背面部分、すなわち、爪が無い、指先の腹側が接触するように配置するとともに、パッドを有するフラップ部分を折り曲げた状態で、非粘着性領域を有する基材テープを指に巻きつけることにより、指先の背面部分に対して、粘着剤層が直接接触するのを有効に防止できる。
したがって、ネイル装飾除去テープとして、良好な使用感を得ることができ、かつ、使用後に、指先のネイル装飾とともに、ネイル装飾除去テープを容易に脱離することができる。
また、除光液（例えば、アセトン、メチルエチルケトン、酢酸エチル、アルコール等）を含浸させるためのパッドを、フラップ部分に対して、粘着固定してあることにより、良好な取り扱い性やネイル装飾の除去性を得ることができる。
さらに、フラップ部分を有する基材テープが、容易に塑性変形し、かつ、気体透過性が低いアルミニウム材料から構成してあることにより、指先における気密性が確保され、除光液が外部に漏れることを防止しながら、除光液の膨潤作用を進行させ、ネイル装飾を効率的に除去することができる。
その上、かかるネイル装飾除去テープは、構造が簡易であって、製造容易であることから、安価なネイル装飾除去テープとして、提供することができる。
なお、フラップ部分における粘着剤層の大きさを、パッドよりも大きくすることにより、粘着剤層の露出部分が形成されることから、それを利用して、指先の位置合わせ性やネイル装飾除去テープの巻き付け性をさらに良好なものとすることができる。
【００１５】
また、本発明のネイル装飾除去テープを構成するにあたり、基材テープおよびフラップ部分が、アルミニウム材料から一体的に構成されていることが好ましい。
このように構成することにより、部品点数が少なくなって経済的であるばかりか、
フラップ部分もアルミニウム材料から構成されていることより、指先において、更に優れた気密性が確保される。
【００１６】
また、本発明のネイル装飾除去テープを構成するにあたり、ネイル装飾除去テープの短手方向に沿ったフラップ部分の長さを、基材テープの幅と同一、または基材テープの幅よりも長くすることが好ましい。
このように構成することにより、指先の背面部分を十分に保護できるとともに、基材テープとの十分な重なりが確保されることから、更に優れた機密性や使用感を得ることができる。
【００１７】
また、本発明のネイル装飾除去テープを構成するにあたり、基材テープの厚さを１〜５０μｍの範囲内の値とし、粘着剤層の厚さを５〜１５０μｍの範囲内の値とし、かつ、パッドの厚さを３０〜３，０００μｍの範囲内の値とすることが好ましい。
このような大きさであれば、通常の指サイズを有する人におけるネイル装飾除去に、十分対応することができ、さらには、比較的大きな親指であっても、比較的小さな小指であっても、十分対応することができる。
【００１８】
また、本発明のネイル装飾除去テープを構成するにあたり、粘着剤層に仮接着される剥離シートを備えることが好ましい。
このように剥離シートを備えることにより、フラップ部分の表面や基材テープの一部に、粘着剤層を有する場合に、当該粘着剤層の粘着性能の低下を抑えることができ、ひいては、保存や持ち運びに耐え得るネイル装飾除去テープを得ることができる。
【００１９】
また、本発明のネイル装飾除去テープを構成するにあたり、基材テープの表面に、当該基材テープを保護するための保護層を設けることが好ましい。
このように保護層を設けることにより、保管時や輸送時等におけるアルミニウム材料から構成された基材テープの塑性変形や表面傷の発生等を有効に防止することができる。
なお、かかる保護層の形成位置は、基材テープの表面であれば、基材テープと、粘着剤層と、の間であっても良く、あるいは、基材テープにおける粘着剤層が設けられていない反対側であっても良い。
【００２０】
また、本発明の別の態様は、指先のネイル上に施されたネイル装飾を除去するためのネイル装飾除去テープの製造方法であって、折り曲げて使用されるフラップ部分を少なくとも片側に有し、かつ、アルミニウム材料製で、表面に非粘着性領域が設けてある基材テープを準備する工程と、フラップ部分の表面に、粘着剤層を形成する工程と、当該粘着剤層を介して、フラップ部分上に、ネイル装飾の除光液を吸収保持するためのパッドを設ける工程と、基材テープ、粘着剤層およびパッドを含む積層体を、所定形状に切断する工程と、を含むことを特徴とするネイル装飾除去テープの製造方法である。
すなわち、このように実施することにより、指先における使用感や気密性、さらには取り扱い性が良好で、除光液の外部漏れが少なく、その上、安価なネイル装飾除去テープを効率的に製造することができる。
【００２１】
また、本発明のネイル装飾除去テープの製造方法を実施するにあたり、基材テープを準備する工程において、表面に保護層が設けてある基材テープを準備することが好ましい。
このように保護層を設けてある基材テープを用いることにより、保管時や輸送時等におけるアルミニウム材料から構成された基材テープの塑性変形や表面傷の発生等を有効に防止することができる。
【図面の簡単な説明】
【００２２】
【図１】図１は、本発明のネイル装飾除去テープの構成部品および構成状態を説明するために供する図である。
【図２】図２（ａ）〜（ｄ）は、本発明のネイル装飾除去テープにおける基材テープの表面加工処理を説明するために供する図である。
【図３】図３（ａ）〜（ｄ）は、本発明のネイル装飾除去テープにおける基材テープ部分の変形例を説明するために供する図である。
【図４】図４（ａ）〜（ｃ）は、本発明のネイル装飾除去テープにおける基材テープ部分の変形例を説明するために供する図である。
【図５】図５（ａ）〜（ｂ）は、本発明のネイル装飾除去テープのフラップ部分の変形例を説明するために供する図である。
【図６】図６（ａ）〜（ｂ）は、本発明のネイル装飾除去テープにおける粘着剤層の構成例を説明するために供する図である。
【図７】図７（ａ）〜（ｅ）は、本発明のネイル装飾除去テープの使用例を説明するために供する図である。
【図８】図８（ａ）〜（ｃ）は、本発明のネイル装飾除去テープの使用例を説明するために供する図である。
【図９】図９は、本発明のネイル装飾除去テープの製造方法を説明するために供する図である。
【図１０】図１０は、従来のネイル装飾除去用のスポンジつきテープを説明するために供する図である。
【図１１】図１１は、従来のコットン付アルミホイルを説明するために供する図である。
【図１２】図１２は、従来のネイル装飾除去用のネイル除去補助具を説明するために供する図である。
【発明を実施するための形態】
【００２３】
［第１の実施形態］
第１の実施形態は、指先のネイル上に施されたネイル装飾を除去するためのネイル装飾除去テープであって、アルミニウム材料から構成された基材テープと、当該基材テープの少なくとも片側に、折り曲げて使用されるフラップ部分と、を備えており、フラップ部分に、所定の粘着剤層を介して、ネイル装飾の除光液を吸収保持するためのパッドを設けるとともに、基材テープの表面に、非粘着性領域を設けることを特徴とするネイル装飾除去テープである。
以下、本発明の第１の実施形態について、図１〜８を適宜参照しつつ、具体的に説明する。
但し、以下の実施形態は、本発明の一態様を示すものであって、本発明を限定するものではなく、本発明の範囲内で任意に変更することが可能である。
【００２４】
１．全体構成
図１は、本実施形態のネイル装飾除去テープ５の構成部材およびその構成例を示す図である。
かかるネイル装飾除去テープ５は、基本的に、基材テープ１０と、フラップ部分１５と、パッド３０とを備えている。
すなわち、基材テープ１０の少なくとも片側に、折り曲げて使用されるフラップ部分１５が設けてあり、その上に、所定の粘着剤層２０を介して、パッド３０が設けてあり、かつ、基材テープ１０の表面を非粘着性としてある。
したがって、かかるネイル装飾除去テープ５によれば、フラップ部分１５のパッド３０に対して、指先のネイル上に施されたネイル装飾を位置合わせした後、一点鎖線Ｌで表される仮想線に沿って、基材テープ１０を折り曲げることができる。
そして、基材テープ１０等を指先に巻きつけるとともに、適度に塑性変形させることによって、十分な気密性が得られ、パッド３０に含浸させた除光液を十分に接触させることができる。
それにより、除光液が外部に漏れることを防止しながら、除光液の膨潤作用を進行させることができ、結果として、ネイル装飾（マニキュア）を溶かし、または、ネイル装飾（ジェルネイル）を膨潤させることにより、それらのネイル装飾を効率的に除去することができる。
その上、基材テープ１０の表面が非粘着性であることから、ネイル装飾除去テープ５を使用した際にも、指先の背面部分は、非粘着性の表面と接触し、良好な使用感を得ることができる上に、所定時間経過した後に、ネイル装飾除去テープ５を指先から脱離する際にも、容易に脱離することができる。
【００２５】
２．基材テープ
図１に示す基材テープ１０は、所定の非粘着剤領域１１を有し、指先に巻いた場合に、良好な使用感を付与するとともに、フラップ部分１５の上のパッド３０に接触した状態の指先のネイル装飾の周囲において、所定の気密状態を形成し、除光液による膨潤を進行させる機能を発揮する。
以下、基材テープ１０の形状、構成材料、厚さ、保護層について具体的に説明する。
【００２６】
（１）形状
基材テープ１０の形状（平面形状）は、指先の周囲に巻き付けることができる平面形状であれば特に制限されるものでないが、通常、長方形、正方形、楕円、円形、異形等が挙げられる。
【００２７】
（２）構成材料
また、基材テープ１０は、アルミニウム材料から構成してあることを特徴とする。
この理由は、かかる基材テープ１０であれば、低気体透過性が得られるとともに、容易に塑性変形させることができ、結果として、指先のネイル装飾の周囲において、良好な気密性が得られやすいためである。
したがって、好適なアルミニウム材料として、アルミニウム金属単体やアルミニウム合金、さらには、これらのアルミニウム金属単体等を所定量含んでなる高分子樹脂材料やセラミック材料が挙げられる。
【００２８】
（３）非粘着剤領域
また、図１に示すように、基材テープ１０の表面に、非粘着剤領域１１を設けることを特徴とする。
すなわち、かかる非粘着剤領域１１を設けることによって、基材テープ１０を指先に巻きつけた場合に、指先の背面部分に対して、粘着剤層２０が直接接触するのを有効に防止でき、使用中は、良好な使用感を得ることができるとともに、使用後には、指先のネイル装飾とともに、ネイル装飾除去テープ５を容易に脱離することができる。
【００２９】
ここで、かかる非粘着剤領域１１は、基材テープ１０の全面に設けてあっても、部分的に設けてあっても良い。
また、非粘着剤領域１１は、粘着剤層２０と比較して、粘着力が低く、指にまとわりつかない程度であれば十分であって、必ずしも粘着剤層２０を形成しない領域とする必要はない。
したがって、フラップ部分１５の表面に形成する粘着剤層２０を延在させて、基材テープ１０にも粘着剤層２０を形成するとともに、その表面に剥離処理を施したり、フィルムを積層したりして、非粘着剤領域１１を形成しても良い。
【００３０】
（４）厚さ
また、基材テープ１０の厚さを、通常、１〜５０μｍの範囲内の値とすることが好ましい。
この理由は、かかる基材テープ１０の厚さが１μｍ未満の値になると、耐久性や機械的強度が著しく低下したり、取り扱いが困難となったりする場合があるためである。
一方、基材テープ１０の厚さが５０μｍを超えると、指先に対する追従性が低下したり、ネイル装飾除去テープ５を巻き付けた際の指先の自由度が著しく低下したりする場合があるためである。
したがって、基材テープ１０の厚さを５〜３０μｍの範囲内の値とすることがより好ましく、さらには、１０〜２０μｍの範囲内の値とすることがさらに好ましい。
【００３１】
（５）保護層
また、図２（ａ）に示すように、基材テープ１０の表面に、当該基材テープ１０を保護するための保護層１２を設けることが好ましい。
この理由は、このように保護層１２を設けることにより、保管時や輸送時等におけるアルミニウム材料から構成された基材テープ１０の塑性変形や表面傷の発生等を有効に防止することができるためである。
したがって、シリコーン樹脂、ポリエステル樹脂、フッ素樹脂、オレフィン樹脂等を塗布して保護層１２を形成しても良いし、シリコーン材料、セラミック材料、金属材料等を蒸着して保護層１２を形成しても良い。
あるいは、基材テープ１０の一部または全部に、シリコーンフィルム、ポリエステルフィルム、フッ素フィルム、オレフィンフィルム等を積層して、保護層１２としても良い。
なお、保護層１２を形成する場合、その厚さを０．０１〜１２μｍの範囲内の値とすることが好ましく、０．１〜８μｍの範囲内の値とすることがより好ましく、さらには、０．５〜３μｍの範囲内の値とすることがさらに好ましい。
【００３２】
（６）表面加工処理
また、基材テープ１０に対して、所定の表面加工処理を施すことも好ましい。
すなわち、図２（ｂ）の符号１２ａに示すようなエンボス加工、図２（ｃ）の符号１２ｂに示すようなブラスト加工を粘着剤層との積層面に施したり、あるいは、図２（ｄ）の符号１２ｃに示すようなスリット加工を施したりすることが好ましい。
この理由は、基材テープ１０に対してかかる表面加工を行うことによって、基材テープ１０の変形（カール現象）を防止したり、粘着剤層２０との間の密着性を向上させたり、基材テープ１０の折り曲げ性に異方性を持たせたり、さらには、基材テープ１０における表面傷等を目立たなくすることができるためである。
【００３３】
なお、このような表面加工を施して、表面凹凸等を形成する場合、ＪＩＳ  Ｂ０６０１に準拠して測定される表面粗さ（Ｒａ）を０．０１〜２μｍの範囲内の値とすることが好ましい。
この理由は、かかる表面粗さ（Ｒａ）が０．０１μｍ未満の値になると、所定の表面凹凸処理による効果が安定的に発現しない場合があるためである。
一方、かかる表面粗さ（Ｒａ）が２μｍを超えた値になると、所定の表面凹凸処理に、過度に時間を要したり、基材テープ１０を損傷したりする場合があるためである。
したがって、表面加工を施して、表面凹凸等を形成する場合の表面粗さ（Ｒａ）を０．１〜１μｍの範囲内の値とすることがより好ましく、さらには、０．２〜０．８μｍの範囲内の値とすることがさらに好ましい。
【００３４】
（７）変形例
また、図３（ａ）〜（ｄ）及び図４（ａ）〜（ｃ）は、ネイル装飾除去テープ５における、主として、基材テープ１０に関する部分についての変形例を示す図である。
【００３５】
すなわち、図３（ａ）に示すように、基材テープ１０の一部に、湾曲状の切欠部分１０ａを設けて、ネイル装飾除去テープ５ａを構成することが好ましい。
この理由は、このような切欠部分１０ａを、所定位置に設けることにより、ネイル装飾除去テープ５ａを指先に巻き付けた場合において、例えば、指の第一関節に当たる部分が、ネイル装飾除去テープ５ａによって固定されてしまうことがなくなるためである。
したがって、ネイル装飾除去作業中の指先の自由度を向上させることができ、指の折り曲げによって、ネイル装飾除去テープ５ａが外れてしまうことが少なくなる。
【００３６】
また、図３（ｂ）に示すように、パッド３０が設けてある基材テープ１０の両側部分において、それぞれ長手方向の中心軸線を異ならせたネイル装飾除去テープ５ｂとすることが好ましい。
この理由は、このように構成することにより、ネイル装飾除去テープ５ｂを、指先の外周に沿って、指先の両側部から巻き付けることができ、かつ、ネイル装飾除去テープ５ｂ同士の巻き重なり部分を、少なくすることができるためである。
したがって、長手方向の中心軸線を異ならせることにより、ネイル装飾除去作業中の指先の自由度を向上させることができる。
【００３７】
また、図３（ｃ）に示すように、基材テープ１０において、一方の基材テープの端部から、パッド３０の中心を通る仮想線と交わる地点までの距離（Ｌ１）を、他方の基材テープ１０の端部から、パッド３０の中心を通る仮想線と交わる地点までの距離（Ｌ２）よりも長くしたネイル装飾除去テープ５ｃとすることが好ましい。
すなわち、基材テープ１０を長手方向に二等分した中心位置ではなく、オフセットした位置を定め、そこから、パッド３０が設けてあるフラップ部分１５を側方に延設することが好ましい。
この理由は、このように基材テープ１０の端部から、パッド３０の中心までの長手方向距離を異ならせることにより、使い勝手を向上させることができるためである。したがって、例えば、短い方で、迅速に巻くとともに、長い方で、指先に複数回巻き重ねることができ、結果として、除光液を含浸させたパッド３０をネイル装飾上に迅速に押し当てて、安定的に、保持することができる。
【００３８】
また、図３（ｄ）に示すように、基材テープ１０に、ミシン目１３を形成したネイル装飾除去テープ５ｄとすることが好ましい。
この理由は、このようにミシン目１３を形成することにより、使用者が、指先のサイズや種類に合わせて、使い易い大きさに基材テープ１０をカットした上で、ネイル装飾除去テープ５ｄを使用することができるためである。したがって、ネイル装飾除去テープ５ｄの利便性を向上させることができる。
その上、基材テープ１０をミシン目１３に沿ってカットして得られる余剰のテープ部分を、指先のネイル装飾除去テープの巻き重なり部分に貼り付ければ、被覆された指先における気密性をより確保することができる。
【００３９】
また、図４（ａ）に示すように、基材テープ１０の端部からフラップ部分１５を一方側に延在させて、Ｌ字状のネイル装飾除去テープ５ｅを構成することが好ましい。
この理由は、このような平面略Ｌ字形状のネイル装飾除去テープ５ｅであれば、使用時におけるネイル装飾除去テープ５ｅの巻き作業が容易になるためである。
また、このような形状のネイル装飾除去テープ５ｅであれば、製造時において、フラップ部分１５にパッド３０を載置する際の位置合わせ作業や基材テープ１０の切断等の作業が容易になるためである。
したがって、ネイル装飾除去作業をより単純化することができる上に、より効率的にネイル装飾除去テープ５ｅを製造することができる。
【００４０】
また、図４（ｂ）に示すように、基材テープ１０の少なくとも片側に形成するフラップ部分１５の平面形状を半円形状としたネイル装飾除去テープ５ｆとすることが好ましい。
この理由は、フラップ部分１５の面積を増加させ、指の大きさにかかわらず、被覆した場合に、気密性に富んだネイル装飾除去テープ５ｆを得ることができるためである。
すなわち、パッド３０上に指を載置して、基材テープ１０を折り曲げた際に、基材テープ１０における指先の背面部分に接触しない領域を、指の側面に沿って爪側に折り込んだ上で、当該基材テープ１０を指に巻き付けることができるためである。
また、フラップ部分１５が半円形状であれば、矩形状である場合と比較して、角部が引っ掛かってネイル装飾除去テープ５ｆが不測的に塑性変形してしまうことを回避することができる。
【００４１】
また、図４（ｃ）に示すように、フラップ部分１５の平面形状を概三角形状とするとともに、ネイル装飾除去テープ５ｇの平面形状についても、概三角形状としたネイル装飾除去テープ５ｇとすることが好ましい。
この理由は、フラップ部分１５の面積が比較的大きいネイル装飾除去テープ５ｇを得ることができる上に、基材テープ１０の切断パターンを単純化させることができるためである。
したがって、指先における気密性を向上させることができる上に、基材テープ１０の切断が容易になり、効率的にネイル装飾除去テープ５ｇを製造したり、切断によって、排除される基材テープ量を少なくしたりすることができる。
【００４２】
３．フラップ部分
（１）機能
図１に示すように、フラップ部分１５を形成し、さらに、非粘着剤領域１１を形成した基材テープ１０を指先に巻きつけることにより、指先の背面部分に対して、粘着剤層が直接接触するのを有効に防止でき、ネイル装飾除去テープ５として、良好な使用感を得ることができる。
また、ネイル装飾除去テープ５を指に巻きつけた場合、基材テープ１０がフラップ部分１５と、直接接触することになり、両者の間で容易に塑性変形することから、その部分において、さらに良好な気密性を得ることができる。
さらに、パッド３０に吸収させた除光液によって、ネイル装飾を膨潤させる際の放置時間の間に、基材テープ１０が指先の背面部分を覆っていることから、パッド３０から染み出た除光液が、指先の背面部分まで到達することがなく、良好な使用感を維持することができる。
その上、フラップ部分１５を、ネイル装飾除去テープ５のつまみ部（取り扱い部）として使用することもでき、ネイル装飾除去テープ５の使い勝手がさらに良好となる。
【００４３】
（２）大きさ
また、フラップ部分１５の大きさについても特に制限されるものではないが、例えば、ネイル装飾除去テープ５の短手方向に沿ったフラップ部分１５の長さを、基材テープ１０の幅と同一、または基材テープ１０の幅よりも長くすることが好ましい。
この理由は、このように構成することにより、指先の背面部分を十分に保護できるとともに、基材テープ１０との十分な重なりが確保されることから、更に優れた機密性や使用感を得ることができるためである。
なお、通常、ネイル装飾除去テープ５の短手方向に沿ったフラップ部分１５の大きさ、すなわち、横方向への出っ張り部分の長さを５〜５０ｍｍの範囲内の値とすることが好ましく、１０〜４０ｍｍの範囲内の値とすることがより好ましく、さらには、２０〜３０ｍｍの範囲内の値とすることがさらに好ましい。
【００４４】
（３）形状
また、図１に示すフラップ部分１５の形状（平面形状）についても、特に制限されるものではないが、例えば、長方形、正方形、三角形、多角形、楕円形、半円形、異形とすることが好ましい。
【００４５】
（４）態様
また、フラップ部分１５の態様として、図１に示されるように、基材テープ１０の側方から延在して設けられているとともに、基材テープ１０を構成するアルミニウム材料から、一体的に構成されていることが好ましい。
この理由は、このように構成することにより、部品点数が少なくなって経済的であるばかりか、アルミニウム材料からフラップ部分が構成されていることより、指先の周辺において、更に優れた気密性が確保されるためである。
【００４６】
（５）変形例
また、フラップ部分１５の変形例として、基材テープ１０の片側または両側に設けられる当該フラップ部分１５の数は制限されないが、通常、フラップ部分１５の数（合計数）を１〜５個の範囲内の値とすることが好ましい。
この理由は、フラップ部分１５の数が５個を超えると、ネイル装飾除去テープ５を指に巻き付ける作業が困難になったり、アルミニウム材料から基材テープ１０を加工する工程が複雑化したりするためである。
したがって、フラップ部分１５の数を１〜３個の範囲内の値とすることがより好ましく、さらには、１〜２個の範囲内の値とすることがさらに好ましい。
【００４７】
具体的に、図５（ａ）に示されるように、パッド３０を挟んで、基材テープ１０の両側方からそれぞれ延在して、粘着剤層２０およびパッド３０を設けたフラップ部分１５ａと、非粘着剤領域１１を設けたフラップ部分１５ｂとの、計二つのフラップ部分１５（１５ａ・１５ｂ）を設けることが好ましい。
この理由は、このように複数のフラップ部分１５（１５ａ・１５ｂ）を備えることによって、指先の周辺において、更に優れた気密性や使用感が確保されるためである。
【００４８】
また、図５（ｂ）に示されるように、パッド３０を挟んで、基材テープ１０の両側方からそれぞれ延在して設けたフラップ部分１５（１５ａ・１５ｂ）のうち、一方のフラップ部分１５ａに、粘着剤層２０およびパッド３０を設ける一方、他方のフラップ部分１５ｂ上に、別の粘着剤層２０を形成することが好ましい。
この理由は、粘着剤層２０を形成した複数のフラップ部分１５ｂを利用して、指や基材テープ１０上に、強固に貼り付けることができるためである。
よって、非粘着剤領域１１を有する基材テープ１０によって、指先の背面部分に粘着剤層が直接接触するのを防止しながらも、指先にネイル装飾除去テープ５を巻き付けつつ、指や基材テープ１０上にフラップ部分１５ｂを貼り付けて、ネイル装飾除去テープ５を指先から外れ難くすることができる。
【００４９】
４．粘着剤層
（１）種類
また、図１に示す粘着剤層２０を構成する粘着剤の種類については、特に制限されるものではないが、例えば、アクリル樹脂、ポリエステル樹脂、ポリウレタン樹脂、ポリアミド樹脂、ポリ塩化ビニル樹脂、ポリ酢酸ビニル樹脂、ポリプロピレン樹脂、ポリエチレン樹脂、ゴム系樹脂、シリコーン樹脂、エポキシ樹脂、尿素樹脂、フェノール系樹脂等の一種単独、または二種以上の組み合わせが挙げられる。
【００５０】
そして、これらの粘着剤を架橋させるための架橋剤を、粘着剤の全体量１００重量部に対して、０．１〜２０重量部の範囲で配合することも好ましく、１〜１０重量部の範囲で配合することもより好ましい。
この理由は、このような架橋剤を所定量配合することにより、粘着剤の凝集力、粘着力、耐久性、耐溶剤性等を、所定範囲に調整したり、向上させたりすることができるためである。
特に、パッドに、吸収させた除光液によって、粘着剤の一部が溶解するおそれがあり、通常の放置時間では大した問題とならないものの、長時間放置される場合には、このような架橋剤を配合して、粘着剤層２０の耐溶剤性等を、向上させておくことが好ましい。
【００５１】
（２）厚さ
また、粘着剤層２０の厚さについても特に制限されるものではないが、通常、５〜１５０μｍの範囲内の値であることが好ましい。
この理由は、かかる粘着剤層２０の厚さが５μｍ未満の値になると、粘着力が著しく低下し、指先にネイル装飾除去テープ５を安定的に巻き付けることが困難となる場合があるためである。
一方、粘着剤層２０の厚さが１５０μｍを超えると、指先に対する追従性が低下したり、ネイル装飾除去テープ５を巻き付けた指先の自由度が著しく低下したり、さらには、安定的に製造することが困難となる場合があるためである。
したがって、粘着剤層２０の厚さを１０〜８０μｍの範囲内の値とすることがより好ましく、１５〜４０μｍの範囲内の値とすることがさらに好ましい。
【００５２】
（３）構造
また、粘着剤層２０の構造についても特に制限されるものではないが、例えば、図２に示す範囲Ａの拡大断面図である図６（ａ）に示すように、パッド３０側の第１粘着剤層２０ａと、支持層２０ｂと、基材シート１０のフラップ部分１５側の第２粘着剤層２０ｃと、を順次に備えた三層構造であることが好ましい。
この理由は、このような支持層２０ｂを挟んだ三層構造の粘着剤層２０を用いることで、パッド３０に染み込ませた除光液によって粘着剤層２０を構成する樹脂が溶かされて漏れ出てしまうことを防止できる上に、ネイル装飾除去テープ５の耐久性や機械的強度を向上させることができるためである。
【００５３】
また、かかる支持層２０ｂの種類は、特に制限されるものではないが、例えば、ポリエステルフィルム、ポリエチレンフィルム、ポリプロピレンフィルム、ポリアミドフィルム等、耐溶剤性を有し、かつ、所定の機械的強度を有する材料が挙げられる。
また、支持層２０ｂの厚さについても特に制限されるものではないが、通常、１〜１００μｍの範囲内の値であることが好ましい。
この理由は、支持層２０ｂの厚さが１μｍ未満の値になると、ネイル装飾除去テープ５の耐久性や機械的強度を向上させる機能を十分に発揮できないばかりか、パッド３０に染み込ませた除光液による樹脂の溶解を確実に防止できなくなる場合があるためである。
一方、支持層２０ｂの厚さが１００μｍを超えると、ネイル装飾除去テープ５の折り曲げ性が低下して、指先に対する追従性が低下する場合があるためである。
したがって、支持層２０ｂの厚さを３〜５０μｍの範囲内の値とすることがより好ましく、５〜１０μｍの範囲内の値とすることがさらに好ましい。
なお、粘着剤層２０が、上述のように、第１粘着剤層２０ａ、支持層２０ｂ、および第２粘着剤層２０ｃを含んでなる三層構造である場合、かかる第１粘着剤層２０ａ、支持層２０ｂ、および第２粘着剤層２０ｃの合計厚さを、粘着剤層２０の厚さとすることができる。
【００５４】
また、粘着剤層２０を、図６（ｂ）に示すように、一層構造の粘着剤層２０ｄから構成することも好ましい。
この理由は、かかる粘着剤層２０ｄであれば、上述の三層構造を有する粘着剤層２０と比較して、経済的に有利である上に、その構造が単純であるから、ネイル装飾除去テープ５を効率的に製造できるためである。
さらには、一層構造の粘着剤層２０ｄを備えたネイル装飾除去テープ５は、上述のような多層構造の粘着剤層２０を備えたネイル装飾除去テープ５と比較して、指先への追従性を最大限に発揮させることができるためである。
【００５５】
（４）大きさ
また、粘着剤層２０の大きさについても特に制限されるものではないが、通常、後述するパッド３０よりも大きくすることが好ましい。
この理由は、下地としての粘着剤層２０の大きさをパッド３０よりも大きくすると、粘着剤層２０の一部が露出することから、それを利用して、指先の位置合わせ性やネイル装飾除去テープの巻きつけ性をさらに良好なものとすることができるためである。
より具体的には、パッド３０の周囲に粘着剤層２０の一部が露出していれば、パッド３０に対して、指先を置いた際に、位置ずれすることが無く、容易に位置合わせを行うことができる。
また、パッド３０の周囲に粘着剤層２０の一部が露出していれば、非粘着剤領域１１を有する基材テープ１０を折り曲げたときに、それに接着して、基材テープ１０の折り曲げ状態を固定することができる。
よって、粘着剤層２０の大きさをパッド３０よりも大きくすることにより、使い勝手が良好となるばかりか、指先にネイル装飾除去テープ５を安定的に巻き付けることができる。
なお、パッド３０の大きさ（面積）を１００としたときに、粘着剤層２０の大きさの比率を１１０〜５００の範囲内の値にすることが好ましく、１３０〜３００の範囲内の値にすることがより好ましく、さらには、１５０〜２００の範囲内の値にすることがさらに好ましい。
【００５６】
５．パッド
（１）種類
また、図１に示すパッド３０の構成材料についても特に制限されるものではないが、通常、レーヨン繊維、コットン繊維、キュプラ繊維、パルプ繊維、ポリ塩化ビニル繊維、ポリビニルアルコール繊維、ポリウレタン繊維、ポリオレフィン繊維、ポリアクリル繊維、ポリアミド繊維、ポリエステル繊維、ポリエチレン繊維、ポリプロピレン繊維等の少なくとも一種からなる織布あるいは不織布であることが好ましい。
この理由は、このような繊維材料からなるパッド３０であれば、除光液を吸収しやすいばかりか、吸収させた除光液によって侵される可能性が少なく、その上、所定のクッション性や耐久性等が得られるためである。
【００５７】
（２）厚さ
また、パッド３０の厚さについても特に制限されるものではないが、通常、３０〜３，０００μｍの範囲内の値であることが好ましい。
この理由は、かかるパッド３０の厚さが３０μｍ未満の値になると、耐久性が著しく低下する場合があるためである。したがって、例えば、指先にネイル装飾除去テープ５を巻き付ける最中に、そのネイル装飾除去テープ５が破れてしまう場合があるためである。
一方、パッド３０の厚さが３，０００μｍを超えると、指先に対する追従性が低下したり、ネイル装飾除去テープ５を巻き付けた指先の自由度が著しく低下したりする場合があるためである。
したがって、パッド３０の厚さを５０〜５００μｍの範囲内の値とすることが好ましく、さらには、１００〜２００μｍの範囲内の値とすることがさらに好ましい。
【００５８】
（３）目付け
また、パッド３０の目付けについても特に制限されるものではないが、通常、３０〜７００ｇ／ｍ２の範囲内の値であることが好ましい。
この理由は、かかる目付けが３０ｇ／ｍ２未満の値になると、パッド３０を構成する繊維が少ないために、吸水性が著しく低く、除光液を染み込ませることが困難になる場合があるためである。
一方、かかる目付けが７００ｇ／ｍ２を超えると、パッド３０の重量が大きくなり、指先に巻いたときに使用者に重量感を与える場合があるためである。
したがって、パッド３０の目付けは、５０〜５００ｇ／ｍ２の範囲内の値とすることがより好ましく、さらには、１００〜３００ｇ／ｍ２の範囲内の値とすることがさらに好ましい。
なお、本明細書において、目付けとは、単位面積あたりの重量を意味している。すなわち、繊維集合体における繊維径や繊維の厚さが一定である場合であっても、目付けに比例して、その繊維集合体の重量が大きくなり、また、強度も高くなるために、かかる目付けは、ネイル装飾除去テープ５を構成する上での考慮要素の一つとなるのである。
【００５９】
６．剥離シート
また、剥離シート４０は、ネイル装飾除去テープ５の変形例を表す図５（ｂ）に示されるように、フラップ部分１５の表面や基材テープ１０の一部に、粘着剤層２０を有する場合に、当該粘着剤層２０に対して、仮接着される部材である。
すなわち、このように剥離シート４０を備えることにより、保存や持ち運びに耐え得るネイル装飾除去テープ５を得ることができる。
したがって、剥離シート４０は、シリコーン材料やフッ素材料等の剥離剤を塗布した紙やプラスチックフィルムであることが好ましい。
なお、図５（ｂ）では、一枚である剥離シート４０が示されているが、各種変形が可能であって、スリットにより二つ割りされてもよく、あるいは多数のスリットが入れられて、三つ以上に分割されていても良い。
【００６０】
７．使用方法
次いで、図７（ａ）〜（ｅ）、及び図８（ａ）〜（ｃ）を参照して、フラップ部分１５を有するネイル装飾除去テープ５の使用方法について説明する。
すなわち、図７（ａ）に示すように、所定形状のネイル装飾除去テープ５から剥離シートを除去した後、パッド３０に対して、ネイル装飾の除光液を、スポイト等を用いて滴下して、吸収させる。
その際、数滴程度の除光液、より具体的には、０．０５〜０．５ｃｍ3程度の除光液であっても、被覆された指先における気密性が優れていることから、ネイル装飾を効率的に膨潤させて、除去できることが判明している。
【００６１】
次いで、図７（ｂ）に示すように、ネイル装飾が施してある指先４５をパッド３０の中央付近に載置した後、フラップ部分１５を一点鎖線Ｌで表される仮想線に沿って折り曲げる。
すなわち、このようなフラップ部分１５を設け、さらに、基材テープ１０に非粘着剤領域１１を形成することより、ネイル装飾除去テープ５を指に巻きつけた場合であっても、指先の背面部分に対して、粘着剤層２０が直接接触するのを有効に防止でき、ネイル装飾除去テープ５として、良好な使用感を得ることができる。
また、ネイル装飾除去テープ５を指に巻きつけた場合、基材テープ１０の一部と、フラップ部分１５とが、直接接触することになり、両者の間で容易に塑性変形することから、その部分において、さらに良好な気密性を得ることができる。
【００６２】
なお、図示しないものの、ネイル装飾が施してある指先に対して、その上方でネイル装飾除去テープ５のパッド３０に位置合わせし、次いで、ネイル装飾除去テープ５を下降させて、パッド３０の中央付近に指先を載置した後、基材テープ１０をパッド３０に向かって折り曲げて、使用することも好ましい。
【００６３】
次いで、図７（ｃ）に示すように、ネイル装飾が施してある指先４５の両側に位置する基材テープ１０を、矢印の方向に指に巻きつける。
すなわち、指先の両側に位置するネイル装飾除去テープ５が所定長さを有していることから、通常の使用者の親指から、小指まで、十分に巻きつけることができるように構成してある。
【００６４】
次いで、図７（ｄ）に示すように、ネイル装飾が施してある指先４５に巻きつけたネイル装飾除去テープ５を、矢印の方向に均一に加圧しながら、指先に対してなじませる。
すなわち、このように加圧し、図８（ａ）に示すように、被覆状態の形を整えることにより、ネイル装飾除去テープ５における基材テープ１０が容易に塑性変形することから、ネイル装飾が施してある指先４５を包囲した状態で、良好な気密性を得ることができる。
そして、除光液を含むパッド３０が、ネイル装飾が施してある指先と接触した状態で、周囲から加圧されることにより、ネイル装飾の膨潤が加速される。
なお、このネイル装飾除去テープ５に対する加圧は、図８（ｂ）に示すように、別の指を用いて行うことができる。また、図８（ｃ）に示すように、別の指を用いることなく、ネイル装飾除去テープ５を巻いた状態の指先が収容できるキャップ１４を用いて、行うことも可能である。
【００６５】
次いで、図７（ｅ）に示すように、ネイル装飾除去テープ５を巻きつけた指先を、そのまま所定時間放置し、除光液によるネイル装飾の膨潤を進行させる。
したがって、図示しないものの、所定時間経過した後、ネイル装飾除去テープ５を脱離するに際して、所定のフラップ部分１５を介して、非粘着剤領域１１を備えた基材テープ１０を指に巻きつけてあることから、指先から容易に脱離することができる。
その上、被覆された指先において、優れた気密性が得られることから、ネイル装飾が十分に膨潤しており、容易に剥離除去することができる。
そして、放置時間の間にも、基材テープ１０の所定部分が、指先の背面部分を覆っていることから、パッド３０から染み出た除光液が、指先の背面部分まで到達することがなく、良好な使用感を維持することもできる。
【００６６】
［第２の実施形態］
第２の実施形態は、指先のネイル上に施されたネイル装飾を除去するためのネイル装飾除去テープの製造方法であって、折り曲げて使用されるフラップ部分を少なくとも片側に有し、かつ、アルミニウム材料製で、表面に非粘着性領域が設けてある基材テープを準備する工程と、フラップ部分の表面に、粘着剤層を形成する工程と、当該粘着剤層を介して、フラップ部分上に、ネイル装飾の除光液を吸収保持するためのパッドを設ける工程と、基材テープ、粘着剤層およびパッドを含む積層体を、所定形状に切断する工程と、を含むことを特徴とするネイル装飾除去テープの製造方法である。
【００６７】
以下、図９を参照しながら、第２の実施形態のネイル装飾除去テープ５の製造方法を説明する。
なお、図中、同じ符号を付してあるものについては、第１の実施形態で説明したのと同一の部材を示しており、適宜説明が省略されている。
【００６８】
１．準備工程
準備工程は、アルミニウム材料から構成されるとともに、フラップ部分１５を少なくとも片側に有する基材テープ１０を準備する工程である。
したがって、図９においては、ロール状にしたアルミニウム材料から構成されたフラップ部分１５を有する基材テープ１０を準備して、製造装置１００における所定位置に配置してある。
【００６９】
ここで、基材テープ１０としては、市販のアルミニウム箔をテープ状に加工しても良いし、アルミニウムプレートを圧延加工して、所定厚さのテープ状のアルミニウム箔としても良い。
また、この段階において、工程紙や工程フィルム、さらには、粘着剤付き工程紙や工程フィルムを使用することにより、アルミニウム材料から構成された基材テープ１０を、損傷させることなく、容易に使用することができる。
さらに、フラップ部分１５は、基材テープ１０の片側また両側に設けてあり、その数についても特に制限されることなく、少なくとも片側に、例えば、１〜５個の範囲で設けてあることが好ましい。
【００７０】
但し、基材テープ１０を準備する工程において、基材テープ１０が、必ずしも最終形態のフラップ部分１５を既に有している必要はなく、将来的にフラップ部分１５となる想定箇所を含んでいれば良い。
また、基材テープ１０を準備する工程において、表面が非粘着性のアルミニウム箔等を準備するものの、この時点においては、将来的に、粘着剤層２０を形成するための適当箇所を有する基材テープを準備すれば良い。
すなわち、かかる準備工程において、所定のフラップ部分１５を既に有する基材テープを準備してもよいし、後述する切断工程において当該基材テープ１０を切断することを考慮して、将来的にフラップ部分１５となる想定箇所を含んだ基材テープ１０を準備してもよい。
【００７１】
また、第１の実施形態で説明したように、基材テープ１０の上に、エンボス加工やブラスト加工、あるいは、スリット加工等を施す場合には、この準備段階で実施することが好ましい。
したがって、図９に示す製造装置１００の一部に、エンボス加工装置やブラスト加工装置、あるいは、スリット加工装置等を設けることができる。
【００７２】
さらに、この準備工程において、表面に保護層１２が設けてある基材テープ１０を準備することが好ましい。
この理由は、保護層１２を有する基材テープ１０を準備し、それを用いてネイル装飾除去テープ５を製造することにより、保管時や輸送時等における塑性変形や表面傷の発生等を有効に防止することができるためである。
【００７３】
２．粘着剤層の形成工程
粘着剤層の形成工程は、フラップ部分１５に、所定の粘着剤層２０を形成する工程である。
すなわち、ナイフコーター、ロールコーター、グラビアコーター、ダイコーター等を用いて、基材テープのフラップ部分に、粘着剤層２０を直接的に形成することもできる。
【００７４】
また、図９に示すように、所定の剥離フィルム２１上に、予め粘着剤層２０を形成しておき、それをラミネートして、基材テープ１０のフラップ部分１５に、加圧転写することによって、粘着剤層２０を間接的に形成することも好ましい（以下、転写法と称する場合がある。）。
この理由は、このような転写法によって、粘着剤層２０を間接的に形成することにより、基材テープ１０に対する機械的損傷を与えることが著しく少なくなるためである。したがって、本発明のように、塑性変形しやすいアルミニウム材料から構成された基材テープ１０を使用する場合、転写法は極めて有利な形成方法である。
【００７５】
３．パッドの形成工程
パッドの形成工程は、図９に示すように、粘着剤層２０を介して、フラップ部分１５の所定場所に、ネイル装飾の除光液を吸収保持するためのパッド３０を設ける工程である。
かかるパッド３０を設ける方法についても、特に制限されるものではなく、図示しないものの、例えば、所定の加圧装置やロボットアーム等を用いて、基材テープ１０の所定場所に載置することによって、容易かつ迅速に、パッド３０を設けることができる。
そして、除光液を含浸させるためのパッド３０を、基材テープ１０のフラップ部分１５に対して、このように粘着固定してあることにより、ネイル装飾除去テープ５を構成した場合に、良好な取り扱い性を得ることができる。
【００７６】
４．切断工程
（１）概要
切断工程は、図９に示すように、基材テープ１０、粘着剤層２０およびパッド３０を含む積層体を、切断装置８０を用いて、所定形状に切断する工程である。
すなわち、カッター、押し切り装置、所定型等の切断装置を用いて、形成した積層体につき、所定形状に切断することができる。
【００７７】
かかる切断工程において、例えば、将来的にフラップ部分１５となる想定箇所を含んだ基材テープ１０を切断し、これにより、パッド３０に向かって折り曲げて使用されるフラップ部分１５が形成される。
このような方法によれば、部品点数や工程数が少なくなって、構造が単純で、かつ、安価なネイル装飾除去テープ５を効率的に製造することができる。
【００７８】
なお、図９は、かかる方法によるフラップ部分１５の形成を意図したものであって、基材テープ１０、粘着剤層２０およびパッド３０を含む積層体を、切断装置８０を用いて、所定形状に切断する際に、所定のフラップ部分１５を同時形成することを意図している。
【００７９】
５．その他
図９に示すように、パッドの形成工程および切断工程の間に、粘着剤層２０に剥離シート４０を仮接着する工程を設けて、それを実施することが好ましい。
このように、粘着剤層２０に剥離シート４０を仮接着することにより、フラップ部分１５における露出部分や基材テープ１０の一部に粘着剤層２０を有する場合に、当該粘着剤層２０の粘着性能の低下を抑えることができ、ひいては、保存や持ち運びに耐え得るネイル装飾除去テープを得ることができる。
【００８０】
図示しないものの、所定形状に切断して形成したネイル装飾除去テープ５を、１個単独または数個積層した状態で、周囲から被覆材を用いてパッケージする工程を設けて、それを実施することが好ましい。
このように、ネイル装飾除去テープ５を、ラミネート紙やプラスチック袋等を用いてパッケージすることにより、衛生的であるばかりか、容易に塑性変形しやすい基材テープ１０等の保護にもなる。
【産業上の利用可能性】
【００８１】
本発明のネイル装飾除去テープによれば、容易に塑性変形し、かつ、気体透過性が低いアルミニウム材料から基材テープを構成するとともに、その側方に、フラップ部分を設け、所定の粘着剤層を介して、除光液を含浸させるためのパッドを設け、さらに、基材テープの表面を非粘着性とすることにより、良好な使用感や気密性が得られるとともに、使用後に脱離しやすく、その上、相当の経済性も得られるようになった。
特に、ジェルネイルの場合、紫外線硬化していることから、放置時間を比較的長くして、除光液を十分かつ均一に適用させて、膨潤させる必要があるが、本発明のネイル装飾除去テープによれば、そのような場合であっても、良好な使用感を得ることができるようになった。
【００８２】
また、本発明のネイル装飾除去テープの製造方法によれば、部品点数や工程数が少なくなって、構造が単純で、かつ、安価なネイル装飾除去テープをさらに効率的に製造することができるようになった。
したがって、各種ネイルあるいはジェルネイルにも十分対応できるネイル装飾除去テープやそのようなネイル装飾除去テープの効率的な製造方法を提供することが期待される。
【符号の説明】
【００８３】
５，５ａ〜５ｉ：ネイル装飾除去テープ
１０：基材テープ
１０ａ：湾曲状の切欠部分
１１：非粘着剤領域
１２：保護層
１２ａ〜１２ｃ：基材テープの表面
１３：ミシン目
１４：キャップ
１５，１５ａ〜１５ｂ：フラップ部分
２０：粘着剤層
２１：剥離フィルム
３０：パッド
４０：剥離シート
４５：指
８０：切断装置
１００：ネイル装飾除去テープの製造装置
【図１】
2012070830.tif 000003
【図２】
2012070830.tif 000004
【図３】
2012070830.tif 000005
【図４】
2012070830.tif 000006
【図５】
2012070830.tif 000007
【図６】
2012070830.tif 000008
【図７】
2012070830.tif 000009
【図８】
2012070830.tif 000010
【図９】
2012070830.tif 000011
【図１０】
2012070830.tif 000012
【図１１】
2012070830.tif 000013
【図１２】
2012070830.tif 000014